(57)【要約】【課題】 ＰＣＩ-Expressマルチモード拡充カード及び該拡充カードを具える通信装置を提供する。【解決手段】  主にＰＣＩ-ExpressインターフェースポートはマザーボードのＰＣＩ-Expressスロット中に挿入設置可能で、ＰＣＩ-Express拡充ポートとＵＳＢ拡充ポートを含み、及びジャンパー回路は該ＰＣＩ-Expressインターフェースポートと該2個の拡充ポートの間に連接する。該ＰＣＩ-Express拡充ポートによりＰＣＩ-Expressインターフェース周辺装置を拡充、連接し、同時に該ＵＳＢ拡充ポートはＵＳＢインターフェース周辺装置を拡充、連接する。こうして単一のＰＣＩ-Expressマルチモード拡充カードはマザーボード上に設置する単一のＰＣＩ-Expressスロット上において２個の異なるインターフェースの周辺装置を拡充、連接し、マルチモード拡充の機能を達成する。【選択図】図１
0003126594.tif 000002
【実用新案登録請求の範囲】
【請求項１】
主にＰＣＩ-Expressインターフェースポート、第一拡充ポート、第二拡充ポート、ジャンパー回路を含み、
前記ＰＣＩ-Expressインターフェースポートは該ＰＣＩ-Expressマルチモード拡充カードの片側に設置し、しかも複数のピンを具え、さらに若干のＵＳＢインターフェースピン及び若干のＰＣＩ-Expressインターフェースピンを含み、
前記第一拡充ポートはＰＣＩ-Express規範のインターフェースポートに符合し、
前記第二拡充ポートはＵＳＢ規範のインターフェースポートに符合し、
前記ジャンパー回路は該ＰＣＩ-Expressインターフェースポートと該第一拡充ポートに連接し、及び該ＰＣＩ-Expressインターフェースポートと該第二拡充ポートの間に連接し、該第一拡充ポートは該ジャンパー回路により少なくとも該ＰＣＩ-Expressインターフェースピンと相互に連接し、該第二拡充ポートは該ジャンパー回路により少なくとも該ＵＳＢインターフェースピンと相互に連接することを特徴とするＰＣＩ-Expressマルチモード拡充カード。
【請求項２】
主にＰＣＩ-Expressマルチモード拡充カードを含み、
該ＰＣＩ-Expressマルチモード拡充カードはさらにＰＣＩ-Expressインターフェースポート、第一拡充ポート、第二拡充ポート、ジャンパー回路、外界との通信機能を具える周辺装置を含み、
前記ＰＣＩ-Expressインターフェースポートは、前記ＰＣＩ-Expressマルチモード拡充カードの片側に設置し、しかも外界のマザーボードのＰＣＩ-Expressスロット中に挿入可能で、
前記ジャンパー回路は、前記ＰＣＩ-Expressインターフェースポートと前記第一拡充ポートに連接し、及び該ＰＣＩ-Expressインターフェースポートと該第二拡充ポートの間に連接し、
前記外界との通信機能を具える周辺装置は、前記第一拡充ポートと前記第二拡充ポートの内の一つに連結し、こうして該周辺装置は前記ＰＣＩ-Expressインターフェースポートを通して該マザーボードと信号伝送を行うことを特徴とするＰＣＩ-Expressマルチモード拡充カードを具える通信装置。
【請求項３】
前記ＰＣＩ-Expressインターフェースポートは５２本のピンを具え、しかも前記第一拡充ポートは前記ＰＣＩ-Express規範のインターフェースポートに符合し、しかも前記ジャンパー回路により少なくとも該ＰＣＩ-Expressインターフェースポートの第21、23、25、27、29、31、33、35番ピンに連接し、同時に該第二拡充ポートは該ＵＳＢ規範のインターフェースポートに符合し、しかも該ジャンパー回路により少なくとも該ＰＣＩ-Expressインターフェースポートの第34、36、38、40番ピンに連接し、しかも該周辺装置はワイヤレスレシーバーで、さらに連接インターフェースポート、アンテナ、前端ユニット、制御ユニット、信号転換モジュールを含み、
該連接インターフェースポートは該ＰＣＩ-Expressマルチモード拡充カードの内の一つの拡充ポート上に挿入接続可能で、該拡充ポートが支援する通信プロトコルに符合するデータ信号を伝送し、
前記アンテナは無線信号の受発信に用い、
前記前端ユニットは該アンテナに連接し、
前記制御ユニットは該前端ユニットに連接し、信号を変調させ、
前記信号転換モジュールは該制御ユニットと該連接インターフェースポートの間に連接し前記拡充ポートが支援する通信プロトコルと前記ワイヤレスレシーバーの通信プロトコルの間の信号転換作業を行うことを特徴とする請求項１記載のＰＣＩ-Expressマルチモード拡充カードを具える通信装置。
【考案の詳細な説明】
【技術分野】
【０００１】
本考案は一種のＰＣＩ-Expressマルチモード拡充カード、及び、該拡充カードを具える通信装置に関する。特に、マザーボードのＰＣＩ-Expressスロット中に挿入設置可能で、該ＰＣＩ-Expressスロットは拡充されＰＣＩ-Expressインターフェース周辺装置とＵＳＢインターフェース周辺装置を連結可能なマルチモード拡充カード及び該拡充カードを具える通信装置に係る。
【背景技術】
【０００２】
パーソナルコンピュータの周辺パーツであるインターフェースＰＣＩ(Peripheral Component Interface)はＶＧＡグラフィックカード（Video Graphics Array、VGAと略称）、サウンドカード、インターネットカード、モデムカード、映像ピックアップカード、テレビカード、ＳＣＳＩカード、1394拡充カード等の各異なる機能装置の伝送インターフェース規格に連結を提供して来た。
ＰＣＩ周辺装置は該ＰＣＩの総帯域幅を共同で使用する必要があるため、連結するＰＣＩ周辺装置が多ければ各装置が使用可能な帯域幅は狭くなり、各装置の伝送速度はこれによって制限されてしまう。
しかし、現在、パーソナルコンピュータの演算処理速度と各周辺装置が伝送を必要とするデータ量は大幅に拡大しており、さらに広い帯域幅によりそれを実現することが求められているため、ＰＣＩがサポート可能な帯域幅が十分でなくなりつつあり、コンピュータ内部データ伝送にとって解決すべき問題となっている。このためインテル社はスピーディーな帯域幅を提供し各周辺装置間が効果的なデータ伝送を行えるよう次世代ＰＣＩ-Express伝送インターフェース規格を推進している。
例えば、ゲームにおける３Ｄ画面の演算処理はスピードの速いＣＰＵが必要である他に、スピードの速い帯域幅によりその演算結果を該グラフィックカードに伝送する必要がある。また、ギアバイトイーサネット（登録商標）（GigaByte Ethernet（登録商標））、ウルトラワイドバンド（Ultra Wideband、ＵＷＢと略称）無線インターネット、高解像度デジタルコンテンツ装置（high definition content-related hardware）、レイドコントローラー(RAID Controller)等もより広い帯域幅と隨時安定した連接効率を必要としており、ＰＣＩ-Express伝送インターフェース規格だけがその需要を満たすことができる。
現在一般のパーソナルコンピュータにおいては、マザーボードの製造コストとパーソナルコンピュータ内部空間に対する考慮から、マザーボード上に設置されているＰＣＩ-Expressスロットは通常１個或いは２個である。すなわち使用者が連接し使用可能なＰＣＩ-Expressインターフェース周辺装置の数は限られており、十分ではない。
【特許文献１】特開２００６−１８５６７７
【考案の開示】
【考案が解決しようとする課題】
【０００３】
公知構造には以下の欠点があった。
すなわち、パーソナルコンピュータのインターフェースＰＣＩは異なる機能装置の伝送インターフェース規格に連結を提供して来たが、ＰＣＩ周辺装置は該ＰＣＩの総帯域幅を共同で使用する必要があるため、マザーボードの製造コストとパーソナルコンピュータの内部空間に対する考慮から通常１個或いは２個しか設置されていないマザーボード上のＰＣＩ-Expressスロットでは不十分である。
本考案は、上記構造の問題点を解決すべくなされたもので、ＰＣＩ-Expressマルチモード拡充カード、及び、該拡充カードを具える通信装置を提供するものである。
【課題を解決するための手段】
【０００４】
上記課題を解決するため、本考案は下記のＰＣＩ-Expressマルチモード拡充カード及び該拡充カードを具える通信装置を提供する。
それは、主にＰＣＩ-Expressマルチモード拡充カードを提供し、該カードはマザーボードのＰＣＩ-Expressスロット中に挿入設置可能で、該ＰＣＩ-Expressスロットを拡充しＰＣＩ-Expressインターフェース周辺装置とＵＳＢインターフェース周辺装置を連結し、マルチモード拡充機能を達成し、
さらに、それはＰＣＩ-Expressマルチモード拡充カードを具えた通信装置を提供し、該通信装置はウルトラワイドバンド（ＵＷＢ）無線インターネット装置で、該通信装置（ウルトラワイドバンド《ＵＷＢ》無線インターネット装置）は該ＰＣＩ-Expressマルチモード拡充カードを通して、マザーボードのＰＣＩ-Expressスロット中に連結し使用する。
すなわち、そのＰＣＩ-Expressマルチモード拡充カードはＰＣＩ-Expressインターフェースポート、第一拡充ポート、第二拡充ポート、ジャンパー回路を含み、該ＰＣＩ-Expressインターフェースポートは該ＰＣＩ-Expressマルチモード拡充カードの片側に設置し、しかも少なくとも若干のＵＳＢインターフェースピン及び若干のＰＣＩ-Expressインターフェースピンを含み、該第一拡充ポートは該ＰＣＩ-Express規範のインターフェースポートに符合し、しかも該第二拡充ポートは該ＵＳＢ規格のインターフェースポートに符合し、該ジャンパー回路は該ＰＣＩ-Expressインターフェースポートと該第一拡充ポートに連接し、及び該ＰＣＩ-Expressインターフェースポートと該第二拡充ポートの間に連接し、該第一拡充ポートは該ジャンパー回路により少なくとも該ＰＣＩ-Expressインターフェースピンと相互に連接し、該第二拡充ポートは該ジャンパー回路により少なくとも該ＵＳＢインターフェースピンと相互に連接し、こうして該第一拡充ポートはＰＣＩ-Expressインターフェースを支援する第一周辺装置を拡充し連接し、しかも該第二拡充ポートはＵＳＢインターフェースを支援する第二周辺装置を拡充し連接する。
また、前述の第一拡充ポート或いは第二拡充ポートの内の一つはウルトラワイドバンド（ＵＷＢ）無線インターネット装置を連接し、該ウルトラワイドバンド（ＵＷＢ）無線インターネット装置はさらに連接インターフェースポートを含み、ＰＣＩ-Expressマルチモード拡充カードの内の一つの拡充ポート上に挿入接続可能で、該拡充ポートが支援する通信プロトコルに符合するデータ信号を伝送し、アンテナはＵＷＢ無線信号を送受信し、ＵＷＢ前端ユニットは該アンテナに連接し、ＵＷＢ制御ユニットは該ＵＷＢ前端ユニットに連接し信号を変調させ、及び信号転換モジュールは該ＵＷＢ制御ユニットと連接インターフェースポートの間に連接し、該拡充ポートが支援する通信プロトコルとＵＷＢ通信プロトコルの間の信号転換作業を行い、上記設計によりウルトラワイドバンド（ＵＷＢ）無線インターネット装置は間接的にマザーボードのＰＣＩ-Expressスロット中に連接され使用可能となり、同時にＰＣＩ-Expressマルチモード拡充カードが具える別の拡充ポートは他の周辺装置（例えばＷＬＡＮ装置等）を連接し使用することができることを特徴とするＰＣＩ-Expressマルチモード拡充カード及び該拡充カードを具える通信装置である。
【考案の効果】
【０００５】
本考案によれば、マザーボードのＰＣＩ-Expressスロット中に挿入設置可能なＰＣＩ-Expressマルチモード拡充カードを提供し、これによりＰＣＩ-Expressスロットを拡充しＰＣＩ-Expressインターフェース周辺装置とＵＳＢインターフェース周辺装置を連結し、マルチモード拡充機能を達成することができる。さらに、ＵＷＢ無線インターネット装置であるＰＣＩ-Expressマルチモード拡充カードを具えた通信装置を提供することにより、該ＵＷＢ無線インターネット装置は該ＰＣＩ-Expressマルチモード拡充カードを通してマザーボードのＰＣＩ-Expressスロット中に連結し使用することができる。
【考案を実施するための最良の形態】
【０００６】
本考案の実施例のＰＣＩ-Expressマルチモード拡充カードの主要技術は、ＰＣＩ-Express標準が規範する連接インターフェース中から、ＰＣＩ-Express信号の伝送に用いるピンの他に本来既に内蔵されているＵＳＢ2.0連接ピンを利用する。よって、本考案の実施例のＰＣＩ-Expressマルチモード拡充カード上においてはＰＣＩ-Expressピンに符合する拡充ポートを設置する他に、ジャンパー回路の方式によりＰＣＩ-Expressインターフェース中のＵＳＢ2.0ピンを延伸し別の拡充ポートを構成する。
こうして、本考案のＰＣＩ-Expressマルチモード拡充カードはマザーボード上に設置する単一のＰＣＩ-Expressスロット上に2個の周辺装置（一個はＰＣＩ-Express通信プロトコルを使用し、もう一個はＵＳＢ2.0通信プロトコルを使用する）を拡充連接し、マルチモード拡充の機能を達成する。
【０００７】
本考案の好適なＰＣＩ-Expressマルチモード拡充カード及び該拡充カードを具える通信装置の実施例を、図面を参照して説明する。
図１に示すように、本考案の実施例のＰＣＩ-Expressマルチモード拡充カード3はコンピュータ本体1中に位置するマザーボード2上のＰＣＩ-Expressスロット21内に挿入設置可能で、該マザーボード2と該ＰＣＩ-Expressマルチモード拡充カード3の間はＰＣＩ-Express規範に符合するスロットピン（pin）と通信プロトコルにより相互に連結と通信を行う。
該コンピュータ本体1は、図１に示す通常のデスクトップコンピュータ本体の他に、ノートブック型コンピュータ、ミニベアボーン、或いはサーバシステム等とすることができる。しかも、該コンピュータ本体1中には該マザーボード2と該ＰＣＩ-Expressスロット21の他に、ＣＰＵ、若干のＰＣＩスロット、ＲＡＭ、ハードディスク、パワーサプライ等の他のパーツと装置を設置することもできる。これらパーツは公知の技術で、しかも、本考案の技術特徴ではないため、ここでは詳述しない。
【０００８】
次に、図１、２に示すように、本考案のＰＣＩ-Expressマルチモード拡充カード3はＰＣＩ-Expressインターフェースポート31、第一拡充ポート32、第二拡充ポート33、及びジャンパー回路34を含む。
前記ＰＣＩ-Expressインターフェースポート31は、いわゆる「ゴールドフィンガー」の構造で若干の金属ピンを含む。しかも、該ＰＣＩ-Expressインターフェースポート31のサイズ構造は該ＰＣＩ-Express規範のスロットピンに符合し、該マザーボード2のＰＣＩ-Expressスロット21中に直接挿入可能で両者は電気的に連接する。
図１、２に示す本考案のＰＣＩ-Expressマルチモード拡充カード3の最適実施例では、該ＰＣＩ-Expressインターフェースポート31は該ＰＣＩ-Expressマルチモード拡充カード3の片側に設置し、該マザーボード2のＰＣＩ-Expressスロット21の中に挿入接続する。
該第一拡充ポート32と該第二拡充ポート33は、該ＰＣＩ-Expressマルチモード拡充カード3の反対側に設置し、付近には第一周辺装置41及び第二周辺装置42を連接する。該ＰＣＩ-Expressインターフェースポート31と２個の拡充ポート32、33間は該ジャンパー回路34により連接する。
【０００９】
続いて、図３に示すように、本考案の実施例のＰＣＩ-Expressマルチモード拡充カード3のＰＣＩ-Expressインターフェースポート31は標準ＰＣＩ-Express規格（規範）に符合し、しかも52本のピンを具える。その内、第21、23、25、27、29、31、33、35番（号）ピンはＰＣＩ-Express信号の伝送時に使用するピンで、第9、11、13、15番ピンは参考周波数（Reference Clock）伝送のピンで、第34、36、38、40番ピンは標準ＰＣＩ-Express規格が内蔵し支援するＵＳＢ2.0インターフェースピン311で、第42、44、46番ピンはそれぞれ3組のＬＥＤピン312である。
前記ＬＥＤピン312は、前記ＰＣＩ-Expressマルチモード拡充カード3上に設置する若干のＬＥＤランプ（図示なし）に連接し、ランプの表示により使用者は該ＰＣＩ-Expressマルチモード拡充カード3の動作状態を知ることができる。
【００１０】
図１、２、３に示す本実施例中において、前記第一拡充ポート32はMini ＰＣＩ-Express規格に符合するインターフェーススロットである。該第一拡充ポート32の各ピンは該ジャンパー回路34により該ＰＣＩ-Expressインターフェースポート31中のＰＣＩ-Express信号の伝送に用いるピン（図３に示す第21、23、25、27、29、31、33、35番ピン）に接続する。
また、別種の実施例では該第一拡充ポート32は52本のピンを具える標準ＰＣＩ-Expressスロットとすることもできる。この時、該ＰＣＩ-Expressインターフェースポート31が有する52本のピンはすべて該ジャンパー回路34により該第一拡充ポート32に連結することができる。こうして該第一拡充ポート32上に連接する該第一周辺装置41は該ＰＣＩ-Expressインターフェース及び該通信プロトコルを利用し該マザーボード2と通信することができる。
しかも、該第二拡充ポート33はＵＳＢ2.0インターフェース規格に符合するインターフェーススロットである。該第二拡充ポート33の各ピンは該ジャンパー回路34により該ＰＣＩ-Expressインターフェースポート31に連接し、ＵＳＢ2.0信号を伝送する該当ピン（すなわち、図３に示す第34、36、38、40番ピン）である。こうして該第二拡充ポート33上に連接する該第二周辺装置42はＵＳＢ2.0インターフェース及び通信プロトコルを使用し、該マザーボード2と通信を行う。
【００１１】
本考案のＰＣＩ-Expressマルチモード拡充カード3のＰＣＩ-Expressインターフェースポート31と2個の拡充ポート32、33の間は単純なジャンパー回路34だけを使用し連接するため、駆動チップ或いは信号転換回路等により信号或いは通信プロトコルの転換を行う必要がなく、よって、該ＰＣＩ-Expressマルチモード拡充カード3の回路の複雑度及び設計コストを低下させることができる。
しかも、同時に該マザーボード2上のＰＣＩ-Expressスロット21は２組の異なるインターフェース規格の周辺装置41、42を拡充連接するマルチモード拡充機能を達成することができる。
【００１２】
本実施例においては、前記第一周辺装置41はＰＣＩ-Express或いはMini ＰＣＩ-Express規格に符合するＰＣＩ-Eグラフィックカード、レイドコントローラー拡充カード、ＷＬＡＮ装置、ウルトラワイドバンド（ＵＷＢ）無線インターネット装置、或いはギアバイトイーサネット（登録商標）（GigaByte Ethernet（登録商標））装置等のインターフェースの周辺装置である。該第二周辺装置42はＵＳＢ或いはＵＳＢ2.0規範に符合するＵＳＢコレクター、ＵＳＢＷＬＡＮ装置、ＵＳＢブルートゥース伝送器、ＵＳＢウルトラワイドバンド（ＵＷＢ）無線インターネット装置、ＵＳＢイーサLANインターネット（Ethernet（登録商標） LAN）装置、或いはＵＳＢ入力装置等のインターフェースの周辺装置である。
図４に示す本考案のＰＣＩ-Expressマルチモード拡充カード3は同時に２組の異なる通信インターフェースのワイヤレスレシーバー43、44（すなわち周辺装置）を連接する。
該ワイヤレスレシーバー43はＰＣＩ-Expressインターフェース規格を支援するウルトラワイドバンド（ＵＷＢ）ワイヤレスレシーバー43で、アンテナ431、ＵＷＢ前端ユニット432、ＵＷＢ制御ユニット433、信号転換モジュール434、及びＰＣＩ-Express連接インターフェースポート435を含む。該アンテナ431はＵＷＢ無線信号の送受信増強に用いる。
該ＵＷＢ前端ユニット432は該アンテナ431に電気的に連接し、該アンテナ431が送受信する信号にノイズ低下或いは増強等の処理を施し送受信の便を図る。
該ＵＷＢ制御ユニット433は該ＵＷＢ前端ユニット432と連結し、発信しようとするデータ信号をＵＷＢ無線信号に変調し、或いは受信したＵＷＢ無線信号をデータ信号に戻す。該信号転換モジュール434は該ＵＷＢ制御ユニット433に連接し、ＵＷＢ通信プロトコルとＰＣＩ-Express通信プロトコルの間のデータ信号転換を行う。
該ＰＣＩ-Express連接インターフェースポート435は、該信号転換モジュール434に連接し、それはＰＣＩ-Expressインターフェース規格に符合し、しかも該ＰＣＩ-Expressマルチモード拡充カード3の第一拡充ポート32上に連接し、ＰＣＩ-Express通信プロトコルに符合するデータ信号を伝送する。
【００１３】
しかも、別のワイヤレスレシーバー44はＵＳＢインターフェース規格を支援するＷＬＡＮワイヤレスレシーバー44で、アンテナ441、無線インターネットＵＢＷ前端ユニット442、無線インターネットＵＢＷ制御ユニット443、信号転換モジュール444、ＵＳＢ連接インターフェースポート445を含む。該アンテナ441は無線信号の受発信に用いる。
該無線インターネットＵＢＷ前端ユニット442は該アンテナ441に電気的に接続し、信号のノイズ低下或いは増強処理を行う。
該無線インターネットＵＢＷ制御ユニット443は該無線インターネットＵＢＷ前端ユニット442と連結し、発信しようとするデータ信号をＷＬＡＮ無線信号に変調し、或いは受信したＷＬＡＮ無線信号をデータ信号に戻す。
該信号転換モジュール444は該無線インターネットＵＢＷ制御ユニット443に連接し、ＵＳＢ通信プロトコルとＷＬＡＮ通信プロトコルの間のデータ信号転換を行う。
該ＵＳＢ連接インターフェースポート445は信号転換モジュール444に連接し、それはＵＳＢ2.0インターフェース規格に符合するインターフェースポートで、しかも該ＰＣＩ-Expressマルチモード拡充カード3の第二拡充ポート33上に連接し、ＵＳＢ或いはＵＳＢ2.0通信プロトコルに符合するデータ信号を伝送する。
【００１４】
次に、図４に示す実施例では、本考案のＰＣＩ-Expressマルチモード拡充カード3は同時に該ウルトラワイドバンド（ＵＷＢ）ワイヤレスレシーバー43とＷＬＡＮワイヤレスレシーバー44に連接する。しかも、該ウルトラワイドバンド（ＵＷＢ）ワイヤレスレシーバー43はＰＣＩ-Express通信プロトコルにより、連接するコンピュータ本体のマザーボード（図示なし）と通信と信号伝送を行う。
該ＷＬＡＮワイヤレスレシーバー44はＵＳＢ通信プロトコルを使用しデータ信号を伝送し、該コンピュータ本体は同時に2種の通信モードのワイヤレスレシーバー43、44を支援可能である他、単一のコンピュータ本体のＰＣＩ-Expressスロットだけを使用しながら、公知技術の欠点を完全に克服可能である。
別種の実施例では、該ウルトラワイドバンド（ＵＷＢ）ワイヤレスレシーバー43をＵＳＢ2.0インターフェース規範を支援可能とし、しかも、第二拡充ポート33上に連接し、該ＷＬＡＮワイヤレスレシーバー44をＰＣＩ-Expressインターフェース規範を支援可能とし、しかも第一拡充ポート32上に連接するものとすることができる。また本考案のＰＣＩ-Expressマルチモード拡充カード3の拡充ポート上にはワイヤレスレシーバーを連接する他、別の拡充ポートは他の周辺装置を連接し、ワイヤレスレシーバーを連接しない形態とすることができる。
なお、本考案の特徴を損なうものでなければ、前記の実施例に限定されるものでないことは勿論である。
【図面の簡単な説明】
【００１５】
【図１】本考案ＰＣＩ-Expressマルチモード拡充カードと本体エンド連結の構造指示図である。
【図２】本考案ＰＣＩ-Expressマルチモード拡充カードの回路構造ブロックチャート及び外部装置との連結の指示図である。
【図３】本考案ＰＣＩ-Expressマルチモード拡充カード上に具える標準ＰＣＩ-Expressピン機能の定義図である。
【図４】本考案ＰＣＩ-Expressマルチモード拡充カードが同時に2組の異なる通信インターフェースのワイヤレスレシーバー（すなわち周辺装置）を連接する実施例指示図である。
【符号の説明】
【００１６】
1  本体
2  マザーボード
21  ＰＣＩ-Expressスロット
3  ＰＣＩ-Expressマルチモード拡充カード
31  ＰＣＩ-Expressインターフェースポート
311  ＵＳＢピン
312  ＬＥＤピン
32  第一拡充ポート
33  第二拡充ポート
34  ジャンパー回路
41  第一周辺装置
42  第二周辺装置
43  ウルトラワイドバンド（ＵＷＢ）ワイヤレスレシーバー
431  アンテナ
432  ＵＷＢ前端ユニット
433  ＵＷＢ制御ユニット
434  信号転換モジュール
435  ＰＣＩ-E連接インターフェースポート
44  ＷＬＡＮワイヤレスレシーバー
441  アンテナ
442  ＵＷＢ前端ユニット
443  ＵＷＢ制御ユニット
444  信号転換モジュール
445  ＵＳＢ連接インターフェースポート 
【図１】
0003126594.tif 000003
【図２】
0003126594.tif 000004
【図３】
0003126594.tif 000005
【図４】
0003126594.tif 000006